(57)【要約】【課題】炊飯器から外部に洩れる磁界（磁束）を低減し、かつ良好なご飯の美味しさを確保しつつ本体をコンパクト化させること。【解決手段】炊飯器本体１と、前記本体１に着脱自在に収納する鍋２と、前記鍋２の下方に位置し前記鍋２を誘導加熱する加熱コイル１３を備える保護枠２３と、前記加熱コイル１３の側外方に位置し加熱コイル１３より発生する磁束が本体１外へ放出されることを低減する環状の防磁材２２とを備え、前記保護枠２３は前記防磁材２２を固定する防磁材固定部２９を有し、前記防磁材固定部２９により防磁材２２の固定高さと加熱コイル１３との距離を決定し、防磁材２２の加熱コイル１３との配置精度を高めることにより防磁材２２を小型化することが可能となり、炊飯性能や防磁性能を確保しかつ炊飯器本体１をコンパクト化することができる。【選択図】図１
2006230435.tif 000002
【特許請求の範囲】
【請求項１】
炊飯器本体と、前記本体に着脱自在に収納する鍋と、前記鍋の下方に位置し前記鍋を誘導加熱する加熱コイルを備える保護枠と、前記加熱コイルの側外方に位置し加熱コイルより発生する磁束が本体外へ放出されることを低減する環状の防磁材とを備え、前記保護枠は前記防磁材を固定するとともにその固定位置を一定とするべく設けられた防磁材固定部を有する炊飯器。
【請求項２】
防磁材固定部が、防磁材を内側から側外方へ支持する内側リブと、防磁材を外側から側内方へ支持する外側リブとを有する請求項１記載の炊飯器。
【請求項３】
防磁材固定部が、防磁材と嵌合し固定する嵌合固定部を有し、防磁材が前記嵌合固定部に対応する嵌合固定部受けを有する請求項１または２に記載の炊飯器。
【請求項４】
防磁材を弾性変形限度内で弾性変形させ、前記防磁材に弾性変形応力を維持させたまま防磁材固定部により防磁材を固定する請求項１〜３のいずれか１項に記載の炊飯器。
【請求項５】
内側リブと外側リブの防磁材との接触部を球面または筒面形状とした請求項１〜４のいずれか１項に記載の炊飯器。
【発明の詳細な説明】
【技術分野】
【０００１】
本発明は電磁誘導加熱式の炊飯器に関するものである。
【背景技術】
【０００２】
従来の一般的な炊飯器の構成を図７に示す。近年、電磁誘導加熱を利用した炊飯器が市場で広まっている。例えば従来の炊飯器としては、図７に示すようなものであった。図７において、５１は上面が開口する本体で、開閉自在の蓋５２に覆われている。本体５１の内部には鍋５３が着脱自在に収納されている。鍋５３は、ステンレス、鉄などの磁性体によって形成されている。保護枠５４は、鍋５３の収納部であり、非金属材料により有底円筒状に形成されている。保護枠５４の外側には鍋５３を誘導加熱する加熱コイル５５が配設されている。加熱コイル５５は、保護枠５４の底面外側に配設された内コイル５６と、その外周上に配設された外コイル５７とからなる。
【０００３】
更に、加熱コイル５５の外方にはフェライト５８を配設しており、これにより、外部への防磁（炊飯器の外部に漏れる磁束を低減すること）を行う。５９は鍋５３の温度を測定する温度センサである。６０は加熱コイル５５に高周波電力を供給する加熱制御部である。
【０００４】
６１は導電材料製（例えば、アルミニウム製）でおよそ筒状の防磁板である。防磁板６１は、加熱コイル５５の外周側方で、防磁板６１の上下面は加熱コイル５５の上面・下面よりそれぞれ上方・下方に位置するよう設けられている。防磁板６１には、防磁板６１を通過する磁界を打ち消すような渦電流が発生する。防磁板６１は、炊飯器の外部に漏れる磁界（磁束）を低減し、加熱コイル５５の外側に漏れた磁束によって、本体５１又は本体５１の外部にある部材の温度が上昇することを防止しているものである（例えば、特許文献１参照）。
【特許文献１】特公平４−３６００９号公報
【発明の開示】
【発明が解決しようとする課題】
【０００５】
しかしながら前記従来の構成では、本体５１内に幅広で加熱コイル５５のさらに外周を囲う防磁板６１を加熱コイル５５の外周側方に内蔵するため、炊飯器本体の鍋５３に対する形状が大きく、持ち運び及び設置性がかならずしも満足できるものではなかった。また、本体５１のコンパクト化のため防磁板６１を加熱コイルに近づけると、鍋５３を加熱する磁束を吸収し鍋５３が加熱不足となりご飯の美味しさを低下させる場合があるという課題を有していた。
【０００６】
また、防磁板６１は、防磁板６１を通過する磁界を打ち消すような渦電流が発生することにより高周波で振動し、防磁板６１の高周波の振動による振動音（騒音）を発生させる場合があった。
【０００７】
本発明は前記従来の課題を解決するもので、炊飯器をコンパクト化しつつ炊飯器から外部に洩れる磁界（磁束）を低減し、かつ良好なご飯の美味しさ確保した炊飯器を提供することを目的とする。
【課題を解決するための手段】
【０００８】
前記従来の課題を解決するために本発明の炊飯器は、鍋の下方に位置し前記鍋を誘導加熱する加熱コイルを備える保護枠が、防磁材を固定する防磁材固定部を有し、防磁材固定部により防磁材の固定高さと加熱コイルとの距離が決定するものとしたものである。
【０００９】
これによって、加熱コイルを備える保護枠の防磁材固定部に直接防磁材を固定し、さらに防磁材固定部により防磁材と加熱コイルとの距離を決定することにより、防磁材は加熱コイルに対し取付け高さ方向および加熱コイルとの距離にバラツキなく、かつ防磁材が振動することなく固定することが可能となり、防磁材を、鍋を加熱する磁束に影響しない位置まで近づけて配置することが可能となり、炊飯器をコンパクト化しつつ炊飯器から外部に洩れる磁界（磁束）を低減し、かつ良好なご飯の美味しさ確保することができる。
【発明の効果】
【００１０】
本発明の炊飯器は、炊飯器から外部に洩れる磁界（磁束）を低減し、かつ良好なご飯の美味しさを確保しつつ本体をコンパクト化した炊飯器を提供することができる。
【発明を実施するための最良の形態】
【００１１】
第１の発明は、炊飯器本体と、前記本体に着脱自在に収納する鍋と、前記鍋の下方に位置し前記鍋を誘導加熱する加熱コイルを備える保護枠と、前記加熱コイルの側外方に位置し加熱コイルより発生する磁束が本体外へ放出されることを低減する環状の防磁材とを備え、前記保護枠は前記防磁材を固定する防磁材固定部を有し、前記防磁材固定部により防磁材の固定高さと加熱コイルとの距離が決定する炊飯器とすることにより、防磁材を、鍋を加熱する磁束に影響しない位置まで近づけて配置することが可能となることにより防磁材を加熱コイルの放線方向で小型化することができる。また防磁材を加熱コイルに近づけたことにより防磁材が炊飯器本体外部に洩れる磁界を低減する効果が高まり、防磁材を高さ方向で小型化しても外部に洩れる磁界を低減する同等以上の効果が得られるものである。上記の通り防磁材を放線方向と高さ方向で小型化することにより炊飯器本体をコンパクト化することができる。
【００１２】
第２の発明は、防磁材固定部が、防磁材を内側から側外方へ支持する内側リブと、防磁材を外側から側内方へ支持する外側リブとを有することにより、内側リブにより防磁材が加熱コイルから離れることを防止し、外側リブにより防磁材が加熱コイルに近づくことを防止することにより、加熱コイルと防磁材の距離を防磁材固定部により決定することができる。
【００１３】
第３の発明は、防磁材固定部が防磁材と嵌合し防磁材を固定する嵌合固定部を有し、防磁材が前記嵌合固定部に対応する嵌合固定部受けを有することにより、防磁材は単独で防磁材固定部に取付けが可能となり防磁材固定用の部材が不要となることにより、炊飯器本対内の構成部品が減ることにより炊飯器本体をコンパクト化することができる。
【００１４】
第４の発明は、防磁材を弾性変形限度内で弾性変形させ、前記防磁材に弾性変形応力を維持させたまま防磁材固定部により防磁材を固定することにより、防磁材は自己の変形応力により防磁材固定部に加圧接触となり、防磁板を通過する磁界を打ち消すような渦電流の発生によっても高周波で振動すること無く、騒音を発生させないようにすることができる。
【００１５】
第５の発明は、内側リブと外側リブの防磁材との接触部を球面または筒面形状とすることにより、防磁材を弾性変形させた状態においても、防磁材の変形度合いによらず内側リブと外側リブの防磁材との接触部分が点での接触または線での接触となり、接触状態を安定させることができる。
【００１６】
（実施の形態１）
図１〜図４は、本発明の第１の実施の形態における炊飯器を示すものである。
【００１７】
図において、炊飯器の本体１に着脱自在の外面をステンレスで内面をアルミニウムにフッ素をコーティングした鍋２を内装する。鍋２は３ヶ所均等に配置し本体１より突出した鍋を支持する部材である上枠キャップ２５により鍋２のフランジ部１１を支持されている。本体１の外郭は上面を上枠４３、側下面をボディ２４で構成している。鍋２収納部は耐熱性のある樹脂で成形した保護枠２３で構成し、底部中央に鍋２の温度を検知するバネにより鍋２方向へ押圧力を有する鍋温度検知手段１５と、保護枠２３の下面に鍋２を加熱する電磁誘導加熱方式の加熱コイル１３を備え、加熱コイル１３は内側と外側に分割して配置した内加熱コイル１４ａと外加熱コイル１４ｂとにより構成している。本体１後方には電磁誘導加熱方式を制御する冷却用のファンや放熱用のフィンを備える加熱制御部４１と、コードリール４２を配置している。内加熱コイル１４ａと外加熱コイル１４ｂの外方にはフェライト１７をおよそ均等に８ヶ所備えており磁束が本体１外へ漏れるのを防止し、かつ鍋２への誘導加熱を促進する働きをしている。さらに加熱コイル１３の側外方には帯状のアルミニウム板をおよそ環状にした防磁材２２を配置し、防磁性能の向上を行っている。この防磁材２２の上面は加熱コイル１３の上端面より高い位置であり、防磁材２２の下面は加熱コイル１３の下端面より低い位置となるよう構成している。これら構成部品による電磁誘導加熱方式により鍋２の外面を構成するステンレスが発熱する。ここで内加熱コイル１４ａと外加熱コイル１４ｂは分割して配置したが同時に駆動し鍋２を加熱する。本体１上方には鍋２の上面を覆い操作表示部６を備える蓋３が本体１の後方に構成したヒンジ部７に軸契合され開閉自在に設置されている。蓋３の操作表示部６の上面は表示内容が視認できるよう透明に成形しており、操作表示部６は機能や動作状態を表示しかつブザーなどの音により報知し、炊飯器の動作や停止を操作するボタンにより構成した起動手段４を配置し、炊飯動作を制御する制御部５を有している。蓋３内には蓋３の開閉状態により動作するマグネットとマグネットを検知するリードスイッチとにより構成した蓋開閉検知手段１８を備えており、蓋３の開閉状態を検知することができる。ヒンジ部７には蓋３を開放方向に付勢するヒンジバネ２０を設けており、蓋３はヒンジバネ２０により自動で開放する。本体１のヒンジ部７の反対方向にはバネにより押圧力を有するフックボタン１９を備え、蓋３側のフック２１をフックボタン１９で上方より保持することにより蓋３を閉状態で保持する。さらに蓋３の鍋２対向面には鍋２内を加熱し蓋３に着脱自在の加熱板８を配置し、蓋３内部には加熱板８を加熱する電磁誘導加熱方式の加熱板加熱コイル２６と加熱板８の温度を検知するバネにより加熱板８へ押圧力を有する加熱板温度検知手段１６を備えている。加熱板８には外周を鍋２のフランジ部１１に圧接しシールする鍋パッキン２８と鍋パッキン２８を保持する加熱板支え２７を備えている。加熱板８には鍋２内と蓋３とを連通する蒸気孔９を備え、蓋３には外気と蒸気孔９とを連通する蒸気筒１０を備えている。本体１側面には炊飯器を持ち運ぶ時に使用するハンドル１２を備えている。
【００１８】
ここで、防磁材２２の固定と位置であるが、保護枠２３に防磁材２２を支持固定する防磁材固定部２９を２ヶ所備え、この防磁材固定部２９は、防磁材２２の上方向の位置を規定する上規定部３０と、防磁材２２の下方向の位置を規定する下規定部３１と、防磁材２２を加熱コイル１３側である内側から支持する２ヶ所設けた内側リブ３２と、防磁材２２を加熱コイル１３と反対側である外側から支持する内側リブ３２の２ヶ所のおよそ中央に設けた外側リブ３３で形成している。ここで下規定部３１であるが、防磁材２２を下方より支えるツメ形状を有する嵌合固定部３６を備え、防磁材２２には嵌合固定部３６のツメ形状部分に対応する穴形状の嵌合固定部受け４０を備え防磁材２２が保護枠２３から脱落しない構成となっている。また内側リブ３２と外側リブ３３の防磁材２２との接触面は曲面である筒面形状４５とし、防磁材２２を筒面で支持し固定する。このときの２ヶ所の内側リブ３２と外側リブ３３による防磁材２２の支持であるが、２ヶ所の内側リブ３２と外側リブ３３とにより防磁材２２のストレート部を挟み込み、かつ外側リブ３３により防磁材２２を内側へ変形させ支持している。さらに内側リブ３２と外側リブ３３の防磁材２２挿入口先端には防磁材２２の取付け性を高めるようテーパ面を設けている。このときの外側リブ３３による防磁材２２の変形部分４４であるが、アルミニウム板である防磁材２２の弾性変形領域内での変形にとどめている。さらに、防磁材固定部２９には防磁材２２が正規の取付け位置にしか取り付かないよう誤取付け防止リブ３４と、防磁材２２には誤取付け防止リブ３４に対応する位置に誤取付け防止凹３５を備えている。
【００１９】
以上のように構成された炊飯器について、以下その動作、作用を説明する。炊飯を行う米とその米量に対応する水を鍋２入れ、本体１の所定の状態にセットする。操作表示部６に設けた起動手段４により動作開始操作をすると、あらかじめ制御部５に設定している炊飯工程が実施される。炊飯工程は浸水、炊き上げ、蒸らしの各工程に大別され、鍋温度検知手段１５と加熱板温度検知手段１６とによる温度検知と内加熱コイル１４ａと外加熱コイル１４ｂと加熱板加熱コイル２６とによる鍋２と加熱板８の加熱により所定の炊飯工程でご飯を炊き上げる。またご飯の保温時には、鍋２内のご飯の温度を食べごろの温度であるおよそ７５℃からご飯の乾燥や劣化を低減するやや低い温度のおよそ５５℃の範囲で温度維持している。
【００２０】
ここで鍋２の加熱時には、内加熱コイル１４ａと外加熱コイル１４ｂから磁界が発生するのであるが、この発生した磁界の鍋２側は鍋２を加熱するのであるが、鍋２以外の方向の磁界は本体１外に放出されるため、フェライト１７により磁界が本体１外へ放出されるのを低減し、さらに防磁材２２により減少させることにより本体１外への磁界の漏れを防止している。
【００２１】
防磁材２２により磁界の漏れを防止するには、防磁材２２を加熱コイル１３に近づけ磁界を受ける効率を高めるかまたは防磁材２２の形状を拡大（ここでは加熱コイル１３の上下端面からの防磁材の出代を拡大）し、たくさんの磁界を受けるようにすることが効果的なのであるが、防磁材２２を加熱コイル１３に近づけすぎると鍋２を加熱する磁界まで吸収してしまい鍋２の加熱不足となってしまう恐れがあり、また形状を拡大すると炊飯器本体１が大きくなってしまうという課題があるのである。しかし内側リブ３２と外側リブ３３により防磁材２２の位置を規定することにより防磁材２２と加熱コイル１３との距離の精度を高め、さらに上規定部３０と下規定部３１により防磁材２２の固定位置を規定することにより加熱コイル１３の上下端面からの出代の精度を高めることができる。加熱コイル１３に対し防磁材２２の取付け位置の精度を高めることにより、防磁材２２を鍋２の磁界に影響しない加熱コイル１３近傍まで配置することが可能となり、また防磁材２２を加熱コイル１３に近づけることにより防磁材２２の磁界を受ける効率が高まり防磁材２２を小型化することができる。
【００２２】
また、防磁材２２による防磁では、防磁材２２には防磁材２２を通過する磁界を打ち消すような渦電流が発生し、渦電流の発生により防磁材２２が高周波で振動するのであるが、防磁材２２を内側リブ３２と外側リブ３３により弾性変形させて固定していることにより、防磁材２２は内側リブ３２と外側リブ３３に加圧接触となり振動することはなく、防磁材２２の振動による異音が発生しない構成とすることができる。
【００２３】
さらに防磁材２２と加圧接触となる内側リブ３２と外側リブ３３の防磁材２２との接触面を筒面形状４５とし防磁材２２を筒面で支持し固定することにより、防磁材２２が弾性変形内で変形し防磁材２２と内側リブ３２および外側リブ３３との接触面が変化しても、防磁材２２との接触面は常に筒面との接触となり、接触状態を安定させることができる。接触状態を安定させることにより、防磁材２２が高周波で振動した場合においても防磁材２２の内側リブ３２と外側リブ３３への加圧接触を維持していることにより、防磁材２２の振動による異音が発生しない構成とすることができる。
【００２４】
また、防磁材２２の固定において、下規定部３１に防磁材２２を下方より支える嵌合固定部３６を備えることにより、防磁材２２は防磁材固定部２９に固定する固定部材などを必要とせず防磁材固定部２９に固定することができる。
【００２５】
以上のように本実施の形態においては防磁材固定部２９を、加熱コイル１３を備える保護枠２３に設け、さらに防磁材２２の上方向の位置を規定する上規定部３０と、防磁材２２の下方向の位置を規定する下規定部３１と、防磁材２２を加熱コイル１３側である内側から支持する２ヶ所設けた内側リブ３２と、防磁材２２を加熱コイル１３と反対側である外側から支持する２ヶ所設けた内側リブ３２のおよそ中央に設けた外側リブ３３で形成することにより、加熱コイル１３に対する防磁材２２の高さおよび放線方向の位置が定まることにより、防磁材２２を、鍋２を加熱する磁束に影響しない位置まで近づけて配置することが可能となり、かつ防磁材２２を加熱コイル１３に近づけたことにより防磁材２２が本体１外部に洩れる磁界を低減する効果が高まり、防磁材２２を上下の高さ方向においても小型化することができる。防磁材２２を小型化することにより本体１をコンパクト化することができる。
【００２６】
さらに、防磁材２２の固定において、下規定部３１に防磁材２２を下方より支える嵌合固定部３６を備えることにより、防磁材２２を防磁材固定部２９に固定する固定部材などを必要としない。固定部材などを必要としないことにより、固定部材の取付けや配置のスペースを無くし本体１を小型化することができる。
【００２７】
さらに、防磁材２２を内側リブ３２と外側リブ３３により弾性変形させて固定していることにより、防磁材２２が高周波で振動した場合でも、防磁材２２は内側リブ３２と外側リブ３３に加圧接触していることにより振動することはなく、防磁材２２の振動による異音は発生しない。防磁材２２の振動による異音が発生しないことにより炊飯器動作時において防磁と静音を両立させることができる。
【００２８】
さらに、内側リブ３２と外側リブ３３の防磁材２２との接触面を筒面形状とし、防磁材２２を筒面で支持し固定することにより、防磁材２２の内側リブ３２と外側リブ３３との接触は防磁材２２の弾性変形による形状の変化によらず常に内側リブ３２と外側リブ３３のアール面への線での接触となることにより、防磁材２２の固定を安定させることができる。
【００２９】
また、本実施の形態においてはフェライト１７をおよそ均等に８本配置するとしたが、フェライト１７の本数は８８本に限るものではなく、加熱コイル１３の形状や消費電力による磁束の発生や本体１形状により増減するものである。
【００３０】
また、防磁材固定部２９を２ヶ所備えるとしたが、防磁材固定部２９は２ヶ所に限るものではなく、保護枠２３の形状や制御部５と操作表示部６などの構成部品の配置、また加熱コイル１３の形状や消費電力により増減するものである。さらに防磁材固定部２９は上規定部３０と下規定部３１と外側リブ３３と２ヶ所の内側リブ３２とにより形成するとしたが、防磁材固定部２９は上規定部３０と下規定部３１と外側リブ３３と２ヶ所の内側リブ３２を１ヶ所に集め構成するに限るものではなく、上規定部３０と下規定部３１を個別に配置し、また、内側リブ３２と外側リブ３３の間隔を空けた配置しても、防磁材２２の位置決めと振動を防止する構成であれば同様の効果が得られるものである。
【００３１】
また、外側リブ３３と２ヶ所の内側リブ３２としたが、内側リブ３２と外側リブ３３の数は１ヶ所の外側リブ３３と２ヶ所の内側リブに限るものではなく、１ヶ所の内側リブ３２と２ヶ所の外側リブ３３で構成し防磁材２２の位置を決定する構成としても同様の効果が得られるものである。
【００３２】
また、内側リブ３２および外側リブ３３の防磁材２２との接触面を筒面形状４５とし、筒面による線接触としたが、接触面は筒面による線接触に限るものではなく、球面による点での接触でも防磁材２２の接触に対し常に球面上の点で安定し接触する点において同じであり、同様の効果が得られるものである。
【００３３】
また、嵌合固定部受け４０を穴形状としたが、嵌合固定部受け４０は穴形状に限るものではなく、穴を有しない凹凸によって嵌合固定部３６と嵌合する構成としても何ら問題なく同様の効果が得られるものである。
【００３４】
（実施の形態２）
図５は、本発明の第２の実施の形態の炊飯器を示すものである。
【００３５】
図において、炊飯器の基本構成は第１の実施の形態と同じであり、相違部分を説明する。磁界の漏れを防止する環状の防磁材４６の取付けにおいて、上下方向の規定は同じであるが、防磁材４６を外側から支持する外側リブを無くし、防磁材４６の４箇所を内側から支持する４つの内側リブ３８によって固定したものである。また防磁材４６は曲面を含む環状であり、防磁材４６の弾性力を活用し、防磁材４６の４箇所を内側リブ３８のみで外方に押し広げ加圧接触とし防磁材４６を固定したものである。
【００３６】
以上のように防磁材４６を支持するリブを内側リブ３８のみの一方向とすることにより、防磁材４６を内側と外側のリブに挟み込む組立作業を無くし組立作業を簡素化することにより品質をより安定させることができる。また、防磁材４６の数箇所を複数の外側リブ（図示せず）のみで内方に押し込め加圧接触としても内側リブ３８の場合と同様の効果が得られるものである。
【００３７】
また、内側リブ３８または外側リブの配置や数量は炊飯器本体の形状や大きさや防磁材４６の形状により増減するものである。
【００３８】
（実施の形態３）
図６は本発明の第３の実施の形態の炊飯器を示すものである。
【００３９】
図において、炊飯器の基本構成は第１の実施の形態と同じであり、相違部分を説明する。磁界の漏れを防止する環状の防磁材４７の取付けにおいて、防磁材４７内側から支持する内側リブに上規定部３０と下規定部３１と嵌合固定部３６と誤取付け防止リブ３４の機能を備えた内側リブ３７としたものである。また、防磁材４７は内側リブ３７の上下の規定と嵌合固定と誤取付け防止の形状に対応するよう穴形状の嵌合固定部受け４８を備えている。内側リブ３７の一つのリブに防磁材４７の上下の規定と嵌合固定と誤取付け防止の機能を備えた内側リブ３７とすることにより、防磁材４７の保護枠２３への取付けスペースを小型化することができる。
【００４０】
以上のように内側リブ３７に防磁材４７固定の上下の規定と嵌合固定と誤取付け防止の機能を備えることにより、防磁材４７の保護枠２３への取付けスペースを小型化し、炊飯器本体１をさらにコンパクト化することができる。
【産業上の利用可能性】
【００４１】
以上のように本発明にかかる炊飯器は、加熱コイルに対し防磁材の配置精度を高めることにより、防磁材を小型化することが可能となるので、家庭用および業務用の炊飯器として有用である。
【図面の簡単な説明】
【００４２】
【図１】本発明の実施の形態１における炊飯器の本体内部裏面図
【図２】本発明の実施の形態１における炊飯器の図
【図３】本発明の実施の形態１における炊飯器の防磁材固定部分の図
【図４】本発明の実施の形態１における炊飯器の防磁材固定部分の図
【図５】本発明の実施の形態２における炊飯器の本体内部裏面図
【図６】本発明の実施の形態３における炊飯器の防磁材固定部分の図
【図７】従来の炊飯器の図
【符号の説明】
【００４３】
１  本体
２  鍋
１３  加熱コイル
２２、４６、４７  防磁材
２３  保護枠
２９  防磁材固定部
３２、３７、３８  内側リブ
３３  外側リブ
３６  嵌合固定部
４０、４８  嵌合固定部受け
【図１】
2006230435.tif 000003
【図２】
2006230435.tif 000004
【図３】
2006230435.tif 000005
【図４】
2006230435.tif 000006
【図５】
2006230435.tif 000007
【図６】
2006230435.tif 000008
【図７】
2006230435.tif 000009